(57)【特許請求の範囲】
【請求項１】
液タンクの先端口に装着されるチップの先端内部に、スプリングで弾発されてチップの内向きの先端縁に接触し且つ一部をその内向きの先端縁から突出した状態で回転体が抱持され、前記先端口の外周に密接させた状態で該先端口にキャップが装着されてチップを密封する構成の筆記具に於いて、
前記キャップの開口端面からその内底部に至る長さを、チップの先端から先端口のキャップ装着基端近傍に至る程度の長さに形成する一方、先端口の外周には該先端口のキャップ装着基端側までキャップを押し込んだ後にその押し込み操作を解放することでキャップを先端口に対する正規の装着位置まで押し戻す弾性部材を装着してなり、
弾性部材は前記先端口のキャップ装着基端から先端方向に向けた筒状に成形され、その筒部の一端開口縁に沿わせて、周方向に連続して環状に突出するキャップ戻し弾発部を設け、該弾発部をキャップ装着基端に当接させていることを特徴とする筆記具。
【請求項２】
液タンクの先端口に装着されるチップの先端内部に、スプリングで弾発されてチップの内向きの先端縁に接触し且つ一部をその内向きの先端縁から突出した状態で回転体が抱持され、前記先端口の外周に密接させた状態で該先端口にキャップが装着されてチップを密封する構成の筆記具に於いて、
前記キャップの開口端面からその内底部に至る長さを、チップの先端から先端口のキャップ装着基端近傍に至る程度の長さに形成する一方、先端口の外周には該先端口のキャップ装着基端側までキャップを押し込んだ後にその押し込み操作を解放することでキャップを先端口に対する正規の装着位置まで押し戻す弾性部材を装着してなり、弾性部材は前記先端口のキャップ装着基端から先端方向に向けた筒状に成形され、キャップ装着基端に当接する筒部の一端開口縁に沿わせて周方向に環状に突出させたキャップ戻し弾発部を設け、
先端口のキャップ装着基端に当接する少なくともキャップ戻し弾発部の環状端面に、キャップ装着基端との間でキャップ戻し弾発部の弾性作用を助長する密閉された変形空間を確保構成する凹部を設けたこと特徴とする筆記具。
【請求項３】
液タンクの先端口に装着されるチップの先端内部に、スプリングで弾発されてチップの内向きの先端縁に接触し且つ一部をその内向きの先端縁から突出した状態で回転体が抱持され、前記先端口の外周に密接した状態で該先端口にキャップが装着されてチップを密封する構成の筆記具に於いて、
前記キャップの開口端面からその内底部に至る長さを、チップの先端から先端口のキャップ装着基端近傍に至る程度の長さに形成する一方、先端口の外周には該先端口のキャップ装着基端側までキャップを押し込んだ後にその押し込み操作を解放することでキャップを先端口に対する正規の装着位置まで押し戻す弾性部材を装着してなり、弾発部材は先端口のキャップ装着基端からその先端方向に向けた筒状に成形され、キャップ装着基端に当接する筒部の一端開口縁に沿わせて周方向に環状に突出させた弾性部を設けて、キャップを押し込んだ時にキャップの開口端面が当接するこの弾性部の環状端面側に、周方向に一定の間隔をおいて筒方向に設けた凹欠部を介して周方向に断続的に突出配置せしめたキャップ戻し弾発部を設け、更に先端口のキャップ装着基端に当接する少なくとも前記弾性部の環状端面に、キャップ装着基端との間で各キャップ戻し弾発部の弾性作用を助長する密閉された変形空間を確保構成する凹部を設けたことを特徴とする筆記具。
【請求項４】
請求項１又は３記載の筆記具に於いて、
キャップを、先端口の外径よりも一回り程度大きめの内径にて成形した透明なキャップ本体と、このキャップ本体の尾端側に同芯状に組み込み内設され、先端口に装着する過程において、先端口の外周に密接せしめてチップを密封すると共に内底部がチップの先端から突出する回転体に当接せしめて該回転体をチップ内方へ後退させ、且つ回転体をチップの内向きの先端縁から離間させた時点で先端口に対する装着移動量を、先端口の先端面に対する当接により規制する有底筒状に成形した色付き内キャップとから構成したことを特徴とする筆記具。
【発明の詳細な説明】
【０００１】
【発明が属する技術分野】
本発明は、筆記具に係り、特にチップを保持する先端口に対してキャップを装着する過程において、キャップ内の内部空気を加圧縮せしめると共にチップの内向きの先端縁から突出する回転体をチップ内方に後退させて、加圧縮させたキャップ内の圧縮空気を液タンク内に送り込んで該液タンク内の内圧を上昇させる様に構成されている誤字訂正用の塗布具、或いはボールペン等の筆記具に関する。
【０００２】
【従来の技術】
従来からこの種の筆記具は当該技術分野で知られている。例えば実開平６−39169 号に開示されている塗布具は図14に例示したように、キャップ30内に、先端口31の外周に密接せしめて空気を加圧縮する内筒32が一体に設けられ、この内筒32内にはチップ33の先端に抱持されている回転体34をスプリングに抗してチップ33の内向きの先端縁から離間させる如くチップ33内方に向けて後退させる弾性に富んだ開弁部材36が配置されており、該開弁部材36に設けられている舌片37にチップ33から突出する回転体34がキャップ30を装着する過程において当接し、該舌片37の反発力で回転体34を接触するチップ33の内向きの先端縁から離間させる如くスプリングに抗して後退させて、回転体34と内向きの先端縁とで構成されるチップ33先端の弁構造を開弁するようになっている。即ち、先端口31に対する装着過程において、加圧縮された内筒32内の圧縮空気が該回転体34と内向きの先端縁との間にできる隙間から液タンク35に送り込まれ、該液タンク35内が加圧されるようになっている。
【０００３】
【発明が解決しようとする課題】
ところで、キャップの内筒内の空気が加圧縮された時点でチップから突出する回転体を該チップの内向きの先端縁から離間させる役目を成す開弁部材の舌片は開弁部材の筒部を内側に切り起すことで弾性起倒自在に設けられて、先端口に対する装着過程において、チップの先端から突出する回転体をその反発力でスプリングに抗して後退させるものである。従って、従来塗布具の開弁部材に設けられている舌片の反発力は繰り返されるキャップの着脱操作により短期間で衰え、結果としてスプリングに抗して回転体をチップ内方に向けて後退させることができなくなると言った開弁動作の確実性と安定性に欠ける難点を有するものであった。
【０００４】
本発明はこの様な従来事情に鑑みてなされたもので、その目的とする処は、キャップの装着時に加圧縮されたキャップ内の圧縮空気を液タンク内に送り込んで液タンクの内圧上昇を図ることは勿論、圧縮空気を液タンクに送り込むためにチップの内向きの先端縁から回転体を離間させるその開弁動作を長期に亘り確実且つ安定良く維持し得、しかも筆記時のグリップ作用、更にはキャップの装飾的効果を図った筆記具を提供することにある。
【０００５】
【課題を達成するための手段】
課題を達成するために第一の発明では、液タンクの先端口に装着されるチップの先端内部に、スプリングで弾発されてチップの内向きの先端縁に接触し且つ一部をその内向きの先端縁から突出した状態で回転体が抱持され、前記先端口の外周に密接させた状態で該先端口にキャップが装着されてチップを密封する構成の筆記具に於いて、前記キャップの開口端面からその内底部に至る長さを、チップの先端から先端口のキャップ装着基端近傍に至る程度の長さに形成する一方、先端口の外周には該先端口のキャップ装着基端側までキャップを押し込んだ後にその押し込み操作を解放することでキャップを先端口に対する正規の装着位置まで押し戻す弾性部材を装着してなり、弾性部材は前記先端口のキャップ装着基端から先端方向に向けた筒状に成形され、その筒部の一端開口縁に沿わせて、周方向に連続して環状に突出するキャップ戻し弾発部を設け、該弾発部をキャップ装着基端に当接させていることを特徴とする。
斯る技術的手段によれば、キャップを先端口に押し込んでその開口端面を弾性部材のキャップ戻し弾発部に当接させてから更に押し込む。すると、キャップ戻し弾発部はキャップの開口端面に押されて弾性変形すると共にその弾性変形に伴いキャップの内底部がチップの先端から突出する回転体に当接し、該回転体をスプリングに抗してチップの内向きの先端縁から離間させる如くチップ内方へ向けて後退せしめてチップ先端の弁構造を開弁する。一方、その状態でキャップの押し込み操作を解放すると、キャップはキャップ戻し弾発部が変形前の元の状態に戻る復元力（弾発力）により先端口の正規の装着位置まで押し戻されると共にその内底部が回転体から離れ、回転体はスプリングによりチップの内向きの先端縁に接触せしめてチップ先端の弁構造を閉弁する。又、弾性部材の筒部は誤字修正を行うなどの使用時において滑り防止を図るグリップ作用を成す。
【０００６】
また、第二の発明では、液タンクの先端口に装着されるチップの先端内部に、スプリングで弾発されてチップの内向きの先端縁に接触し且つ一部をその内向きの先端縁から突出した状態で回転体が抱持され、前記先端口の外周に密接させた状態で該先端口にキャップが装着されてチップを密封する構成の筆記具に於いて、
前記キャップの開口端面からその内底部に至る長さを、チップの先端から先端口のキャップ装着基端近傍に至る程度の長さに形成する一方、先端口の外周には該先端口のキャップ装着基端側までキャップを押し込んだ後にその押し込み操作を解放することでキャップを先端口に対する正規の装着位置まで押し戻す弾性部材を装着してなり、弾性部材は前記先端口のキャップ装着基端から先端方向に向けた筒状に成形され、キャップ装着基端に当接する筒部の一端開口縁に沿わせて周方向に環状に突出させたキャップ戻し弾発部を設け、先端口のキャップ装着基端に当接する少なくともキャップ戻し弾発部の環状端面に、キャップ装着基端との間でキャップ戻し弾発部の弾性作用を助長する密閉された変形空間を確保構成する凹部を設けたこと特徴とする。
斯る技術的手段によれば、上記した第一の発明の如く、開口端面を弾性部材のキャップ戻し弾発部に当接させてから更にキャップを押し込むと、キャップ戻し弾発部は当接するキャップの開口端面に押されて弾性変形する。この時、キャップ戻し弾発部はキャップ装着基端との間に確保された変形空間側に逃げるように弾性変形することから、その押し込み操作時に大きな押し込み力を必要としない。つまり、キャップ装着基端とキャップの開口端部との間で押し潰される様に弾性変形せしめる請求項１詳述のキャップ戻し弾発部の構成形態に比べて大きな押し込み力を必要としない。それにより、キャップを手軽に押し込んでその内底部をチップの先端から突出する回転体に当接させて上記した請求項１の如く、チップ先端の弁構造を開弁することができる。一方、その状態でキャップの押し込み操作を解放すると、キャップは変形前の元の状態に戻るキャップ戻し弾発部の復元力により先端口の正規の装着位置まで押し戻される。この時、キャップ戻し弾発部の復元力は先端口に対するキャップの押し込み操作時にキャップ戻し弾発部の弾性変形に伴い加圧縮された変形空間内の圧縮空気により助長される。つまり、キャップはキャップ戻し弾発部の復元力と変形空間内の圧縮空気との相乗作用により先端口に対する正規の装着位置まで押し戻され、その内底部が回転体から離れて上記した請求項１の如く、チップ先端の弁構造が閉弁される。
【０００７】
更に、第三の発明は、液タンクの先端口に装着されるチップの先端内部に、スプリングで弾発されてチップの内向きの先端縁に接触し且つ一部をその内向きの先端縁から突出した状態で回転体が抱持され、前記先端口の外周に密接した状態で該先端口にキャップが装着されてチップを密封する構成の筆記具に於いて、前記キャップの開口端面からその内底部に至る長さを、チップの先端から先端口のキャップ装着基端近傍に至る程度の長さに形成する一方、先端口の外周には該先端口のキャップ装着基端側までキャップを押し込んだ後にその押し込み操作を解放することでキャップを先端口に対する正規の装着位置まで押し戻す弾性部材を装着してなり、弾発部材は先端口のキャップ装着基端からその先端方向に向けた筒状に成形され、キャップ装着基端に当接する筒部の一端開口縁に沿わせて周方向に環状に且つ筒方向に適宜の幅を持たせて突出させた弾性部を設けて、キャップを押し込んだ時にキャップの開口端面が当接するこの弾性部の環状端面側に、同環状端面からその幅方向に適宜の凹欠深さにて周方向に一定の間隔をおいて開口せしめた凹欠部を介して周方向に断続的に突出配置せしめたキャップ戻し弾発部を設け、更に先端口のキャップ装着基端に当接する前記弾性部の環状端面に、キャップ装着基端との間で各キャップ戻し弾発部の弾性作用を助長する密閉された変形空間を確保構成する凹部を設けたことである。
斯る技術的手段によれば、上記した第一の発明の如く、開口端面を弾性部材のキャップ戻し弾発部に当接させてから更にキャップを押し込むと、各キャップ戻し弾発部は当接するキャップの開口端面に押されて上記した請求項２と同様にキャップ装着基端との間に確保された変形空間側に逃げるように弾性変形する。この様に、各キャップ戻し弾発部は変形空間側に逃げるように弾性変形することから、上記した請求項２詳述と同様にその押し込み操作時に大きな押し込み力を必要としない。しかも、キャップ戻し弾発部を周方向に断続的に突出配置していることから、その押し込み力は請求項２よりも更に必要としない。つまり、周方向全周に亘り環状に連設する請求項２記載のキャップ戻し弾発部全体を弾性変形せしめる構成形態に比べて周方向に断続的に独立する各キャップ戻し弾発部を弾性変形せしめる方がその押し込み力を更に必要としない。それにより、キャップをより一層手軽に押し込んでその内底部をチップの先端から突出する回転体に当接させて上記した請求項１の如く、チップ先端の弁構造を開弁することができる。一方、その状態でキャップの押し込み操作を解放すると、キャップは請求項２詳述と同様に変形前の元の状態に戻る各キャップ戻し弾発部の復元力と変形空間内の加圧縮された圧縮空気との相乗作用により先端口の正規の装着位置まで押し戻され、その内底部が回転体から離れると、上記した請求項１の如く、チップ先端の弁構造を閉弁する。又、上記した請求項１詳述と同様に弾性部材の筒部は誤字修正を行うなどの使用時において滑り防止を図るグリップ作用を成す。
【０００８】
更に、第四の発明は、キャップを、先端口の外径よりも一回り程度大きめの内径にて成形した透明なキャップ本体と、このキャップ本体の尾端側に同芯状に組み込み内設され、先端口に装着する過程において、先端口の外周に密接せしめてチップを密封すると共に内底部がチップの先端から突出する回転体に当接せしめて該回転体をチップ内方へ後退させ、且つ回転体をチップの内向きの先端縁から離間させた時点で先端口に対する装着移動量を、先端口の先端面に対する当接により規制する有底筒状に成形した色付き内キャップとから形成する。
斯る技術的手段によれば、先端口に対する装着過程において、先端口の外周に密接せしめてチップを密封すると共に内部空気を加圧縮する役目と、加圧縮された圧縮空気を液タンク内に送り込むために回転体をチップの内向きの先端縁から離間させる如くチップ内方へ向けて後退させてチップ先端の弁構造を開弁する役目を成す色付き内キャップを透明なキャップ本体内に内設してなることから、キャップの装飾的効果を図り得る。又、内キャップはチップ先端の弁構造を開弁せしめた時点で先端口の先端面に対して衝合せしめてキャップの先端口に対する装着移動量を規制する。即ち、弁構造を開弁せしめた時点でキャップの動きを受け止めてチップの先端が回転体を後退させる内底部により塞がれないようにしてあるから、加圧縮された内キャップ内の圧縮空気は液タンク内に確実に送り込まれる。
【０００９】
【発明の実施の形態】
本発明の実施の具体例を図面に基づいて以下説明する。
図１乃至図４は請求項１、４に係る本発明筆記具の実施例を示し、液タンク１はペンタイプ或いはボトルタイプに成形され、その先端開口にチップ２を保持する先端口３が装着されており、この先端口３の外周に密接させた状態で該先端口３にキャップ４を装着する過程において、キャップ４の後述する内キャップ4-3 内の空気が加圧縮されると共に、内底部4-1 がチップ２の先端から突出する回転体５に当接し、該回転体５をスプリング６に抗してチップ２の内向きの先端縁  2-1 から離間させる如くチップ２内方へ向けて後退させて回転体５と内向きの先端縁2-1 とで構成されるチップ２先端の弁構造を開弁して、加圧縮された内キャップ4-3 内の圧縮空気を液タンク１内に送り込んで、該液タンク１内を加圧するように構成してなる。そして、先端口３の外周には弾性部材７が装着されており、キャップ４を先端口３に対してキャップ装着基端3-1 側まで押し込み装着した後にその押し込み操作を解放することで、キャップ４が先端口３の正規の装着位置まで自動的に押し戻されるように構成してなる。
【００１０】
因みに、先端口３に対するキャップ４の正規の装着位置とはキャップ３が弾性部材７により先端口３から抜ける方向に後退戻されて内キャップ4-3 の内底部  4-1 が回転体５から離れた状態である。即ち、内キャップ4-3 の内底部4-1 が離れることで、回転体５がスプリング６で弾発されてチップ２の内向きの先端縁  2-1 に接触し、チップ２先端の弁構造が閉弁された状態である。
【００１１】
チップ２、先端口３は周知の構造を成す。即ち、チップ２は、適宜の金属材にてパイプ状に形成され、先細く形成した先端の開口縁を内側にカシメ等により絞り込んで同先端に内向きの先端縁2-1 を設けると共にその内部にはブローチ加工により形成した放射状の縦溝８を設けて、この縦溝８と内向きの先端縁2-1 との先端内部にスプリング６で弾発させて該内向きの先端縁2-1 に接触させた状態で且つ一部を内向きの先端縁2-1 から突出させた状態で回転体５を抱持してなる  （図２の拡大図参照）。先端口３は、キャップ装着基端3-1 からチップ２を保持する先端側に向けた途中までをストレートとする大径筒部3-2 とし、この大径筒部3-2 から先端に向けて細く略ストレートに形成した先細状の段付き筒状に成形して、先端の小径筒部3-3 にチップ２を圧入により保持する。又、先端口３の大径筒部3-2 の外周には凹み９が設けられており、弾性部材７をしっかり且つ大径筒部3-2 の外周と面一状態にて装着し得るようにしてある。
【００１２】
凹み９は、キャップ装着基端3-1 から大径筒部3-2 の略全長に亘る範囲で弾性部材７の後述する筒部7-1 の筒壁の厚さに相当する深さにて形成する。そして、小径筒部3-3 側に位置する凹み９の底には適宜の幅と深さを有する環状溝10を開口縁に沿わせて設けて、弾性部材７の後述する環状突起11が緊締作用により係止するように形成してなる。
【００１３】
キャップ４は、キャップ本体4-2 と、キャップ本体4-2 の尾端側に同芯状に組み込み内設され、キャップ本体4-2 が先端口３に装着される過程において、先端口３の小径筒部3-3 の外周に密接せしめて該小径筒部3-3 から突出するチップ２を密封する内キャップ4-3 とから構成する。
【００１４】
キャップ本体4-2 は、透明な合成樹脂材料を用いて先端口３の大径筒部3-2 の外径よりも一回り程度大きめの内径で円筒状に成形され、先端口３に対する装着過程において、先端口３の大径筒部3-2 の外周との間に内部空気が外部に自然に抜ける隙間12が確保される状態で該先端口３を被嵌する様になっている。そして、開口端面4-20から内キャップ4-3 の内底部4-1 に至る長さＬ1 を回転体５が突出するチップ２の先端から先端口３のキャップ装着基端3-1 近傍に至る程度の長さＬ2 に形成する。換言すれば、図４に示した様に、キャップ４を先端口３に装着した際、開口端面4-20が弾性部材７の後述するキャップ戻し弾発部13に当接せしめて該キャップ戻し弾発部13を弾性変形せしめると共にその弾性変形に伴い内キャップ4-3 の内底部4-1 がチップ２の先端から突出する回転体５に当接し、該回転体５をスプリング６に抗して内向きの先端縁2-1 から離間させる如くチップ２内方へ向けて後退させることができる長さＬ1 に形成する。
【００１５】
内キャップ4-3 は、着色が施された色付きの合成樹脂材料を用いて先端口３の小径筒部3-3 の外周に密接する内径で適宜の長さを有する有底筒状に成形され、その開口縁から内方に向けた内面には先端口３に対する装着過程において、前記小径筒部3-3 の先端面3-30に当接せしめて先端口３に対するキャップ４の装着移動量を規制する段部14が形成されており、キャップ本体4-2 の尾端側に同芯状に開口された装着口15に嵌合係止させた固着状態で該尾端側に同芯状に組み込み内設される。
【００１６】
而して、キャップ４はチップ２を密封すると共に内部空気を加圧縮し、加圧縮された圧縮空気を液タンク１内に送り込むために回転体５をチップ２の内向きの先端縁2-1 から離間させる如くチップ２内方へ向けて後退させてチップ２先端の弁構造を開弁する役目を成す色付き内キャップ4-3 を透明なキャップ本体4-2 に組み込み内設してなることから、装飾的効果が期待できる。そして、内キャップ4-3 は先端口３に対する装着過程において、内底部4-1 によりチップ２先端の弁構造を開弁せしめた時点で先端口３の小径筒部3-3 の先端面3-30に対して段部14を当接せしめてキャップ４の先端口３に対する装着移動量を規制する。即ち、キャップ４を装着する際の使用者の力加減に左右されることなく、回転体５への当接により弁構造を開弁せしめた時点でキャップ４の動きを受け止めてチップ２の内向きの先端縁2-1 が内キャップ4-3 の内底部4-1 により塞がれないようにしてある。つまり、加圧縮された内キャップ4-3 内の圧縮空気が開弁された回転体５と内向きの先端縁2-1 との間の隙間から液タンク１内に確実に送り込まれるようにしてある（図４の拡大図参照）。
【００１７】
弾性部材７は、先端口３の大径筒部3-2 に設けた凹み９内に、該大径筒部3-2 の外周と面一状態にて収まる厚さ、そして長さ及び外径を有する筒状に形成され、その筒部7-1 の一端開口縁には周方向に環状に突出させたキャップ戻し弾発部13を設ける。
【００１８】
筒部7-1 は、誤字修正を行うなどの使用時において把持部分の滑り防止を図るグリップ作用を成すもので、その他端側開口縁の内周に凹み９の底に設けた環状溝10に嵌合係着される環状突起11を設けて、この環状突起11にゴムバンドの如く作用する緊締作用により凹み９内に筒部7-1 を抜け外れることがない状態にしっかり且つ大径筒部3-2 の外周と面一状態にて定着保持し得るようにしてある。
【００１９】
キャップ戻し弾発部13は、先端口３に対する装着過程において、キャップ４の開口端面4-20に押されて弾性変形し、その押し込み操作が解放された（キャップ４から手が離れた）時点で復元変形せしめてキャップ４を先端口３に対する正規の装着位置まで自動的に押し戻す役目を成す。即ち、前記装着過程において、内キャップ4-3 の内底部4-1 が当接してスプリング６に抗してチップ２内方に向けて回転体５を押動後退された後に該回転体５がスプリング６により再び内向きの先端縁2-1 に接触してチップ２先端の弁構造を閉弁する様に回転体５の押さえを解除する役目を成すもので、筒部7-1 の一端開口縁、詳しくは筒部7-1 を先端口３の凹み９に装着した状態において、キャップ装着基端3-1 に当接する開口端面側の開口縁に沿わせてキャップ本体4-2 の外径（開口端面4-20の開口外径）と略同径とする突出高さにて周方向に角形環状に設ける。
【００２０】
次に、以上の如く構成した本実施例の筆記具の使用例を説明すると、内キャップ4-3 を先端口３の小径筒部3-3 の外周に密接させた状態（図２の状態）でキャップ４の開口端面4-20がキャップ装着基端3-1 に当接せしめた状態で存在する弾性部材７のキャップ戻し弾発部13に当接するまで押し込む（図３の状態）。この時、内キャップ4-3 内の空気は加圧縮される一方で、キャップ本体4-2 内の空気はキャップ本体4-2 内に止まることなく弾性部材７の筒部7-1 との隙間12を通り抜けて外部に自然に抜ける（図２参照）。従って、先端口３に対する装着過程において、キャップ本体4-2 内に空気の残留による負荷抵抗が掛からずにキャップ４を装着することができる。つまり、先端口３に対する内キャップ4-3 の密接力のみの小さな力でキャップ４を装着することができる。
そして、キャップ４の開口端面4-20をキャップ戻し弾発部13に当接させてから更に押し込む。すると、内キャップ4-3 の段部14が先端口３の小径筒部3-3 の先端面3-30に当接せしめて先端口３に対する装着移動量を規制される過程において、キャップ戻し弾発部13が弾性変形せしめると共に、内キャップ4-3 の内底部4-1 はチップ２の先端から突出する回転体５に当接し、該回転体５をスプリング６に抗してチップ２の内向きの先端縁2-1 から離間させる如くチップ２内方へ向けて後退せしめてチップ２先端の弁構造を開弁する（図４の状態）。即ち、図１に示す様に先端口３に対する正規の装着位置ではチップ２の先端から離れている内キャップ4-3 の内底部4-1 はキャップ４の開口端面4-20がキャップ装着基端3-1 側のキャップ戻し弾発部13に当接せしめて該キャップ戻し弾発部13が弾性変形せしめるまで先端口３に対してキャップ４を押し込むことで、チップ２の先端から突出する回転体５に当接せしめると共に該回転体５をチップ２の内方に向けて後退させる。それにより、チップ２先端の弁構造は開弁され、加圧縮された内キャップ4-3 内の圧縮空気は開弁された内向きの先端縁2-1 と回転体５との隙間から液タンク１内に送り込まれ、該液タンク１の内圧を上昇させる。
一方、キャップ４を上記の如く内キャップ4-3 の段部14が先端口３の小径筒部3-3 の先端面3-30に当接せしめて先端口３に対する装着移動量を規制されるまで先端口３に対して押し込んだ後に、その押し込み操作を解放する（キャップ４を放す）と、キャップ４はキャップ戻し弾発部13が変形前の元の状態に戻る復元力（弾発力）により先端口３に対する正規の装着位置まで押し戻されると共に内キャップ4-3 の内底部4-1 は回転体５から離れる（図１の状態に戻される）。それにより、回転体５はスプリング６によりチップ２の内向きの先端縁2-1 に接触せしめて該先端の弁構造を閉弁する。
【００２１】
図５乃至図６は請求項２、４に係る本発明筆記具の実施例を示し、図５は上記した実施例詳述の如く弾性部材７の筒部7-1 に設けたキャップ戻し弾発部16の環状端面に、キャップ装着基端3-1 との間でキャップ戻し弾発部16の変形空間17を確保構成する凹部18を設けて、キャップ４を先端口３に押し込んでその開口端面4-20をキャップ戻し弾発部16に当接させてから更に押し込んだ際にはキャップ戻し弾発部16が変形空間17側に逃げる様に弾性変形し、そして、その押し込み操作を解放した際にはキャップ戻し弾発部16の弾性変形に伴い圧縮された変形空間17内の圧縮空気によりキャップ戻し弾発部16の復元力が助長される様に形成したものである。尚、斯る実施例においては上記した実施例詳述と基本的に同じ構成部分に同じ符号を用いることでその説明は省略する。
【００２２】
凹部18は、キャップ装着基端3-1 に当接するキャップ戻し弾発部16の環状端面に、適宜の深さと開口幅にてその端面全周に亘る溝状に形成され、筒部7-1 が先端口３の凹み９に装着されることで、キャップ装着基端3-1 との間に全周に亘る環状の密閉された変形空間17を確保構成する様になっている（図５の（ロ）参照）。
【００２３】
而して、斯る実施例の筆記具によれば、上記した実施例詳述の如く、キャップ４を先端口３に押し込んでその開口端面4-20を弾性部材７のキャップ戻し弾発部16に当接させてから更に押し込む。すると、キャップ戻し弾発部16は当接するキャップ４の開口端面4-20に押されてキャップ装着基端3-1 との間に確保された変形空間17側に逃げるように弾性変形する。この様に、斯る実施例にあってはキャップ戻し弾発部16はキャップ装着基端3-1 との間に確保された変形空間17側に逃げるように弾性変形することで、キャップ４の押し込み操作時に大きな押し込み力を必要としない。つまり、キャップ４の開口端面4-20とキャップ装着基端3-1 との間で押し潰される様に弾性変形せしめる上記した実施例詳述のキャップ戻し弾発部13の構成形態に比べて大きな押し込み力を必要としないことから、先端口３に対してキャップ４を手軽に且つスムーズに押し込んで内キャップ4-3 の内底部4-1 をチップ２の先端から突出する回転体５に当接させて上記した実施例詳述の如くチップ２先端の弁構造を開弁せしめて、加圧縮された内キャップ4-3 内の圧縮空気を液タンク１内に送り込むことができる。
一方、内キャップ4-3 の段部14が先端口３の小径筒部3-3 の先端面3-30に当接せしめて先端口３に対する装着移動量を規制されるまで押し込んだ後に、その押し込み操作を解放すると、キャップ４の押し込み操作時にキャップ戻し弾発部16の弾性変形に伴い圧縮された変形空間17内の圧縮空気により助長されるキャップ戻し弾発部16の復元力によりキャップ４は先端口３に対する正規の装着位置まで押し戻される。つまり、キャップ４はキャップ戻し弾発部16の復元力と変形空間17内の圧縮空気との相乗作用により先端口３に対する正規の装着位置まで確実且つ速かに押し戻され、内キャップ4-3 の内底部4-1 が回転体５から離間せしめることで上記した実施例詳述の如く、チップ２先端の弁構造は閉弁される。
【００２４】
又、図６は上記した実施例詳述の凹部18の開口形状を変えた他の実施例を示し、斯る実施例にあっては凹部18をキャップ装着基端3-1 に当接するキャップ戻し弾発部16の環状端面から筒部7-1 の内面に向けて開口させた断面略Ｌ字形に形成して、先端口３のキャップ装着基端3-1 とその外周に設けた凹み９底との間に全周に亘る環状の変形空間17が確保される様にしたものである。
【００２５】
図７乃至図13は請求項３、４に係る本発明筆記具の実施例を示し、斯る実施例は上記した実施例詳述の弾性部材７の筒部7-1 に対するキャップ戻し弾発部19の構成形態を変えることで、先端口３に対するキャップ４の押し込み操作性を更に良好ならせしめたものである。従って、斯る実施例においてはキャップ戻し弾発部19の構成形態を変えた以外の構成においては上記した実施例詳述と基本的に同じことから同じ構成部分に同じ符号を用いることでその説明は省略する。
【００２６】
然るに、斯る実施例は先端口３のキャップ装着基端3-1 に当接する筒部7-1 の一端開口縁に沿わせて周方向に環状に且つ筒方向に適宜の幅を持たせて突出させた弾性部20を設けて、キャップ４を押し込んだ時にキャップ４の開口端面4-20が当接するこの弾性部20の環状端面側に、同環状端面からその幅方向に適宜の凹欠深さにて周方向に一定の間隔をおいて開口せしめた凹欠部21を介して周方向に断続的に突出配置せしめたキャップ戻し弾発部19を設けて、キャップ４に押されて各キャップ戻し弾発部19が独立して弾性変形せしめるように形成して成るものである。
【００２７】
弾性部20は、キャップ戻し弾発部19と後述する変形空間22とを夫々相対向させた方向性にて形成し得る程度の幅（長さ）を筒方向に有する角形環状で且つキャップ本体4-2 の外径（開口端面4-20の開口外径）と略同径とする突出高さにて先端口３のキャップ装着基端3-1 に当接する筒部7-1 の一端開口縁に沿わせて周方向に設けて、キャップ４を押し込んだ時にその開口端面4-20が当接する環状端面側にキャップ戻し弾発部19を、そして先端口３のキャップ装着基端3-1 に当接するもう一方の環状端面に変形空間22を確保構成する凹部23を設けるようにしてなる。
【００２８】
キャップ戻し弾発部19は、上記した弾性部20の環状端面側に、同環状端面からその幅方向に適宜の凹欠深さにて周方向に一定の間隔をおいて凹欠部21を開口せしめることで、この各凹欠部21を介して周方向に一定の間隔をおいて断続的に突出配置してなる。即ち周方向に各キャップ戻し弾発部19を連設する凹欠部21の連設部21-1を介して該凹欠部21とにより周方向に凸凹状に並列配置されて、キャップ４の開口端面4-20に押されて独立した形態で弾性変形するように形成してなる（図８参照）。そして、この各キャップ戻し弾発部19を突出配置した弾性部20の先端口３のキャップ装着基端3-1 に当接するもう一方の環状端面に、各キャップ戻し弾発部19がキャップ４に押されて弾性変形せしめた状態から変形前の元の状態に戻る際のその復元力を圧縮空気を利用して助長するための変形空間22をキャップ装着基端3-1 との間に確保構成する凹部23を設ける。
【００２９】
凹部23は、各キャップ戻し弾発部19が個々に存在位置する弾性部20のもう一方の環状端面に、各キャップ戻し弾発部19の周方向の突出幅（突出長さ）に相当する周方向の開口幅と適宜の深さにて形成され、筒部7-1 が先端口３の凹み９に装着セットされることで、各キャップ戻し弾発部19と同じく周方向に一定の間隔をおいて密閉された変形空間22を先端口３のキャップ装着基端3-1 との間に確保構成するようにしてなる。
【００３０】
而して、斯る実施例の筆記具によれば、上記した実施例詳述の如く、キャップ４の装着時に、キャップ４の開口端面4-20を弾性部材７の各キャップ戻し弾発部19に当接させて（図10の状態）から更にキャップ４を押し込むと、各キャップ戻し弾発部19は当接するキャップ４の開口端面4-20に押されて夫々の変形空間22側に逃げるように弾性変形する（図８（ロ）及び図11の状態）。この様に、各キャップ戻し弾発部19は夫々の変形空間22側に逃げるように弾性変形することから、その押し込み操作時に大きな押し込み力を必要としない。しかも、キャップ戻し弾発部19を周方向に断続的に突出配置した構成形態を採用していることから、その押し込み力は更に必要としない。つまり、周方向全周に亘り環状に連設する上記した実施例詳述のキャップ戻し弾発部16全体を弾性変形せしめる構成形態に比べて周方向に断続的に独立する各キャップ戻し弾発部19を弾性変形せしめる方がその押し込み力を更に必要としない。更にキャップ本体4-2 内の空気はキャップ本体4-2 内に止まることなく弾性部材７の筒部7-1 との隙間12を通り抜けて各キャップ戻し弾発部19間の凹欠部21から外部に自然に抜ける（図８（ロ）、そして図９乃至図11参照）。従って、先端口３に対する装着過程において、キャップ本体4-2 内に空気の残留による負荷抵抗が掛からずに、そして各キャップ戻し弾発部19を僅かな押し込み力にて弾性変形せしめてキャップ４を装着することができることから、キャップ４をより一層手軽に且つスムーズに押し込んで内キャップ4-3 の内底部4-1 をチップ２の先端から突出する回転体５に当接させて上記した実施例詳述の如くチップ２先端の弁構造を開弁せしめて、加圧縮された内キャップ4-3 内の圧縮空気を液タンク１内に送り込むことができる。
一方、内キャップ4-3 の段部14が先端口３の小径筒部3-3 の先端面3-30に当接せしめて先端口３に対する装着移動量を規制されるまで押し込んだ後に、その押し込み操作を解放すると、キャップ４の押し込み操作時に各キャップ戻し弾発部19の弾性変形に伴い圧縮された各変形空間22内の圧縮空気により助長される各キャップ戻し弾発部19の復元力によりキャップ４は先端口３に対する正規の装着位置まで押し戻される。つまり、キャップ４は各キャップ戻し弾発部19の復元力と各変形空間22内の圧縮空気との相乗作用により先端口３に対する正規の装着位置（図10の状態）まで確実且つ速かに押し戻され、内キャップ4-3 の内底部4-1 が回転体５から離間せしめることで上記した実施例詳述の如く、チップ２先端の弁構造は閉弁される（図９の拡大図参照）。
【００３１】
図12乃至図13は上記した実施例詳述の凹部23の開口形状並びにその構成形態を変えた他の実施例を示し、図12に示した実施例は凹部23をキャップ装着基端3-1 に当接する弾性部20の環状端面から筒部7-1 の内面に向けて開口させた断面略Ｌ字形に形成して、先端口３のキャップ装着基端3-1 とその外周に設けた凹み９底との間に変形空間22が確保される様にしたものである。一方、図13に示した実施例の場合は凹部23を各キャップ戻し弾発部19を周方向に連設する凹欠部21の連設部21-1を介して弾性部20の環状端面全周に亘り形成して、図５に示した実施例と同様に先端口３のキャップ装着基端3-1 との間に又は図６に示した実施例と同様にその外周に設けた凹み９底との間に全周に亘る環状の変形空間22が確保される様にしたものである。
【００３２】
【発明の効果】
本発明の筆記具は叙上の如く構成してなるから、下記の作用効果を奏する。
▲１▼．請求項１によれば、先端口に対する装着過程において、弾性部材のキャップ戻し弾発部はキャップの開口端面に押されて弾性変形すると共にその弾性変形に伴いキャップの内底部がチップの先端から突出する回転体に当接し、該回転体をスプリングに抗して加圧縮されたキャップ内の圧縮空気を液タンクに送り込むためにチップの内向きの先端縁から離間させる如くチップ内方へ向けて後退せしめてチップ先端の弁構造を開弁する。一方、キャップの押し込み操作を解放すると、キャップはキャップ戻し弾発部の復元力により先端口の正規の装着位置まで押し戻されると共にその内底部が回転体から離れ、回転体はスプリングによりチップの内向きの先端縁に接触せしめてチップ先端の弁構造を閉弁する。又、弾性部材の筒部は誤字修正を行うなどの使用時において滑り防止を図るグリップ作用を成す。
【００３３】
▲２▼．請求項２によれば、先端口に対する装着過程において、弾性部材のキャップ戻し弾発部は上記した▲１▼の如く、当接するキャップの開口端面に押されてキャップ装着基端との間の変形空間側に逃げるように弾性変形する一方で、キャップの押し込み操作を解放すると、変形空間内の圧縮空気により助長されるキャップ戻し弾発部の復元力によりキャップは先端口に対する正規の装着位置まで押し戻される。
【００３４】
▲３▼．請求項３によれば、先端口に対する装着過程において、弾性部材の各キャップ戻し弾発部は上記した▲１▼の如く、当接するキャップの開口端面に押されてキャップ装着基端との間の各変形空間側に逃げるように弾性変形する一方で、キャップの押し込み操作を解放すると、変形空間内の圧縮空気により助長されるキャップ戻し弾発部の復元力によりキャップは先端口に対する正規の装着位置まで押し戻される。しかも、キャップ戻し弾発部を周方向に断続的に突出配置していることから、その押し込み力は上記した▲２▼よりも更に必要としない。つまり、周方向全周に亘り環状に連設する上記の▲２▼記載のキャップ戻し弾発部全体を弾性変形せしめる構成形態に比べて周方向に断続的に独立する各キャップ戻し弾発部を弾性変形せしめる方がその押し込み力を更に必要としないことから、キャップをより一層手軽に押し込んでその内底部をチップの先端から突出する回転体に当接させてチップ先端の弁構造を開弁することができる。
【００３５】
▲４▼．請求項４によれば、先端口に対する装着過程において、先端口の外周に密接せしめてチップを密封すると共に内部空気を加圧縮する役目と、加圧縮された圧縮空気を液タンク内に送り込むために回転体をチップの内向きの先端縁から離間させてチップ先端の弁構造を開弁する役目を成す色付き内キャップを透明なキャップ本体内に内設してなることから、キャップの装飾的効果を図り得る。又、内キャップはチップ先端の弁構造を開弁せしめた時点で先端口の先端面に対して衝合せしめてキャップの先端口に対する装着移動量を規制する働きを成すことから、加圧縮された内キャップ内の圧縮空気は液タンク内に確実に送り込まれる。
【００３６】
従って、本発明の筆記具によれば、キャップの装着時に加圧縮せしめたキャップ内の圧縮空気を液タンク内に送り込んで液タンクの内圧上昇を図ることは勿論、圧縮空気を液タンクに送り込むためにチップの内向きの先端縁から回転体を離間させるその開弁動作を、キャップの内底部により行うようにしたから、長期に亘り確実且つ安定良く維持し得る。しかもキャップ戻し弾発部は変形空間側に逃げるようにキャップに押されて弾性変形する。つまり、先端口に対するキャップの押し込み操作時に大きな押し込み力を必要としないことから、子供や女性等も手軽に取り扱うことができ、大変便利である。更には先端口の正規の装着位置までキャップを押し戻すキャップ戻し弾発部の復元力はキャップの押し込み操作時に圧縮された変形空間内の圧縮空気により助長される。つまり、キャップはキャップ戻し弾発部の復元力と変形空間内の圧縮空気との相乗作用により先端口に対する正規の装着位置まで押し戻されることから、確実性が図られる。
【図面の簡単な説明】
【図１】  請求項１、４に係る本発明筆記具の実施例を示した縦断面図
【図２】  先端口に対する装着過程において、先端口の外周に内キャップが密接せしめた状態の縦断面図
【図３】  先端口に対する装着過程において、キャップの開口端面が弾性部材のキャップ戻し弾発部に当接した状態の同縦断面図
【図４】  先端口に対する装着過程において、キャップの開口端面に押されて弾性部材のキャップ戻し弾発部が弾性変形した状態（開弁状態）の同縦断面図
【図５】  請求項２、４に係る本発明筆記具の実施例を示し、（イ）は縦断面図、（ロ）は（イ）のローロ線断面図
【図６】  請求項２、４に係る本発明筆記具の他の実施例を示し、（イ）は縦断面図、（ロ）は（イ）のローロ線断面図
【図７】  請求項３、４に係る本発明筆記具の実施例を示し縦断面図
【図８】  同実施例の弾性部材の一部を示した展開図で、（イ）はキャップ戻し弾発部にキャップによる押し込み力が掛かっていない状態を示す、（ロ）はキャップ戻し弾発部がキャップにより押されて弾性変形した状態を示す
【図９】  先端口に対する装着過程において、先端口の外周に内キャップが密接せしめた状態の縦断面図
【図１０】  先端口に対する装着過程において、キャップの開口端面が弾性部材のキャップ戻し弾発部に当接した状態の同縦断面図
【図１１】  先端口に対する装着過程において、キャップの開口端面に押されて弾性部材のキャップ戻し弾発部が弾性変形した状態（開弁状態）の同縦断面図
【図１２】  請求項３、４に係る本発明筆記具の他の実施例を示し縦断面図
【図１３】  請求項３、４に係る本発明筆記具の他の実施例を示し、弾性部材の一部を示した展開図
【図１４】  従来の筆記具を示した断面図
【符号の説明】
１…液タンク                            ２…チップ
2-1 …内向きの先端縁                      ３…先端口
3-1 …キャップ装着基端                    ４…キャップ
4-1 …内底部                            4-2 …キャップ本体
4-3 …内キャップ                        4-20…開口端面
５…回転体                              ６…スプリング
７…弾性部材                          7-1 …筒部
13，16，19…キャップ戻し弾発部                  14…段部
17，22…変形空間                        18，23…凹部
20…弾性部                              21…凹欠部
【図１】
0003751694.tif 000002
【図２】
0003751694.tif 000003
【図３】
0003751694.tif 000004
【図４】
0003751694.tif 000005
【図５】
0003751694.tif 000006
【図６】
0003751694.tif 000007
【図７】
0003751694.tif 000008
【図８】
0003751694.tif 000009
【図９】
0003751694.tif 000010
【図１０】
0003751694.tif 000011
【図１１】
0003751694.tif 000012
【図１２】
0003751694.tif 000013
【図１３】
0003751694.tif 000014
【図１４】
0003751694.tif 000015